(57)【要約】      （修正有）【課題】煩雑な作業を伴わないで組み立て可能な切花梱包箱を提供する。【解決手段】切花梱包箱２０は、第１壁板５、切花保持板３、第２壁板６、および内底板４がこの順に一周して繋がることで形成される切花保持台１を内部に備える。第１壁板５は、切花梱包箱における外側側面を構成する４つの側壁１０〜１３の１つに対して固定されており、切花保持台は、扁平に折り畳まれた状態から、切花梱包箱の内部に向かって倒れ込むことで、第１壁板および第２壁板が切花保持板を支える形状になる。【選択図】図１
0003212619.tif 000002
【実用新案登録請求の範囲】
【請求項１】
切花梱包箱であって、
第１壁板、切花を挿入する穴が形成された切花保持板、第２壁板、および内底板がこの順に一周して繋がることで形成される切花保持台を内部に備え、
前記第１壁板は、前記切花梱包箱における外側側面を構成する４つの側壁の１つに対して固定されており、または、該側壁の１つを構成しており、
前記切花保持台は、扁平に折り畳まれた状態から、前記切花梱包箱の内部に向かって倒れ込むことで、前記第１壁板および前記第２壁板が前記切花保持板を支える形状になることを特徴とする切花梱包箱。
【請求項２】
前記内底板は、前記切花保持板に設置される袋の底をフラップから保護する平坦部を有することを特徴とする請求項１に記載の切花梱包箱。
【請求項３】
前記第１壁板は、前記切花梱包箱における外側側面を構成する４つの側壁のうちの前側壁に対して固定されており、または、該前側壁の１つを構成しており、
前記前側壁の上側に、開閉可能な前扉を備えることを特徴とする請求項１または２に記載の切花梱包箱。
【考案の詳細な説明】
【技術分野】
【０００１】
本考案は、切花梱包箱に関する。
【背景技術】
【０００２】
下端部に水を溜めて切花（花卉）などを輸送できる梱包箱が従来技術として知られている。
【０００３】
特許文献１には、下端部に水を溜めて切花などを輸送できる切花立て輸送容器のうち、横倒しにしても水がこぼれないものが開示されている。
【０００４】
特許文献２には、上端に向かって、順次形成される下段茎部保持板、垂直支持板および上段茎部支持板を備える切花梱包体であって、下端部に水を溜めて切花などを輸送でき、一枚物として製造可能な切花梱包体が開示されている。
【先行技術文献】
【特許文献】
【０００５】
【特許文献１】特開２００５−２９８０５４号公報
【特許文献２】実用新案登録第３１９４６１７号公報
【考案の概要】
【考案が解決しようとする課題】
【０００６】
しかしながら、上述のような従来技術の切花梱包体は組み立てが煩雑であるため作業性が悪い、という問題がある。例えば、特許文献２の切花梱包体では、直方体の箱を組み立てた後に、その内側で、下段茎部保持板、垂直支持板および上段茎部支持板を組み立てる必要がある。
【０００７】
本考案の一態様は、煩雑な作業を伴わないで組み立て可能な切花梱包箱を実現することを目的とする。
【課題を解決するための手段】
【０００８】
上記の課題を解決するために、本考案の一態様に係る切花梱包箱は、第１壁板、切花を挿入する穴が形成された切花保持板、第２壁板、および内底板がこの順に一周して繋がることで形成される切花保持台を内部に備え、前記第１壁板は、前記切花梱包箱における外側側面を構成する４つの側壁の１つに対して固定されており、または、該側壁の１つを構成しており、前記切花保持台は、扁平に折り畳まれた状態から、前記切花梱包箱の内部に向かって倒れ込むことで、前記第１壁板および前記第２壁板が前記切花保持板を支える形状になることを特徴とする。
【０００９】
また、前記内底板は、前記切花保持板に設置される袋の底を保護する平らな部分を有することが好ましい。
【００１０】
また、前記第１壁板は、前記切花梱包箱における外側側面を構成する４つの側壁のうちの前側壁に対して固定されており、または、該前側壁の１つを構成しており、前記前側壁の上側に、開閉可能な前扉を備えていることが好ましい。
【考案の効果】
【００１１】
本考案の一態様によれば、従来と比べて組み立てが簡便であり、作業性が良いという効果を奏する。
【図面の簡単な説明】
【００１２】
【図１】切花梱包箱の展開図である。
【図２】切花梱包箱の箱体の組み立て段階での断面図である。
【図３】切花梱包箱の組み立て後の断面図である。
【考案を実施するための形態】
【００１３】
（切花梱包箱のブランクの構成）
図１は本考案の一実施形態による切花梱包箱２０の展開図である。実線は切断線を示し、破線は折り目（罫線）を示す。切花梱包箱２０は、切花（花卉）を輸送する梱包箱である。図１に示す切花梱包箱２０のブランク（組み立て前の素材）は、一枚板状の形態をしており、段ボールまたは厚紙等から形成されている。切花梱包箱２０は、切花保持台１と箱体２とを含む。
【００１４】
切花保持台１は、上下に長い形をしており、上部から、第１糊付け部７、内底板４、第２壁板６、切花保持板３、第１壁板５が、この順に繋がって並び、それぞれの境目には折り目が設けられている。第１壁板５には第２糊付け部８が含まれる。切花保持板３には中央部に切花を挿入する穴１６が形成されている。穴１６は、切花を保持するためのものであり、穴１６に切花を保持するポリエチレン等の袋等を設置することができる。切花保持板３において、穴１６の周囲には、袋を引っかけて固定する４つの取付穴が設けられている。第１壁板５の第２糊付け部８端縁には、好ましくは第１糊付け部７と同形の切り欠きが存在する。
【００１５】
箱体２は、頂板９、切花梱包箱２０の外側側面を構成する４つの側壁、および切花梱包箱の外底を形成する４つの底フラップ１４を備える。外側側面を構成する４つの側壁には、前扉１０および前側壁１１、２つの側壁１２、および、背壁１３が含まれる。前側壁１１には第３糊付け部１５が含まれる。この前側壁１１を省略することもできる。ただし、前側壁１１を設けない場合は、切花保持台１の第１壁板５の切り欠きも存在しない。
【００１６】
切花梱包箱２０のブランクにおいて、上下に並んだ前扉１０および前側壁１１の横側に、側壁１２、背壁１３、側壁１２および切花保持台１が、この順に繋がって並んでいる。右側の側壁１２には切花保持台１のうち第１壁板５が繋がっている。側壁１２のいずれか一方の上端に頂板９が接しているが、頂板９は、側壁１２ではなく背壁１３の上端に接していてもよい。前扉１０は、前側壁１１の上側に存在し、組み立て後に開閉可能な扉として機能する。
【００１７】
２つの側壁１２および背壁１３の下端にはそれぞれ底フラップ１４が接続されている。底フラップ１４は４片からなり、残りの１片の接する部位は、前側壁１１と第１壁板５の切り欠きの有無によって異なる。
【００１８】
前側壁１１が存在し、かつ切花保持台１の第１壁板５の切り欠きが存在する場合、残りのフラップは前側壁１１の下端に接続されている。前側壁１１が存在し、かつ切花保持台１の第１壁板５の切り欠きが存在しない場合、残りのフラップは、第１壁板５または前側壁１１の下端に接続されている。前側壁１１が存在しない場合、残りのフラップは第１壁板５の下端に接続されている。
【００１９】
（切花梱包箱の組み立て）
図２は本考案の一実施形態による切花梱包箱２０の箱体２の組み立て段階での断面図である。図２では、前扉１０を開いた状態で示している。組み立ての方法は以下のとおりである。
【００２０】
まず、切花保持台１のブランクを、第１糊付け部７と内底板４との間の罫線、および、第２壁板６と切花保持板３との間の罫線において、同方向（例えば手前側）に１８０°折り曲げる。このとき、切花保持台１のブランクを、内底板４と第２壁板６との間の罫線、および切花保持板３と第１壁板５との間の罫線において、同方向に仮折りしてもよい。第１糊付け部７が第１壁板５の切り欠きに一致するように第１糊付け部７を配置する。なお、第１壁板５の切り欠きがない場合は、第１糊付け部７を第１壁板５に重ねて、第１糊付け部７を第１壁板５に接着剤で接着する。これにより切花保持台１は、第１壁板５、切花保持板３、第２壁板６、および内底板４がこの順に一周して繋がる。
【００２１】
次に、箱体２のブランクを、各罫線において、切花保持台１における折り目と同方向（例えば手前側）に折り曲げる。箱体２のブランクを各罫線の位置で折り曲げると、前側壁１１と、上述のように折り曲げた切花保持台１の第１壁板５とは箱の前面において重なる。このとき、前扉１０および前側壁１１が第１壁板５より外側になるように重ねる。第１糊付け部７および第２糊付け部８と第３糊付け部１５の裏側とが接するので、両者を接着剤で接着する。このように第１壁板５は、前側壁１１に固定される。
【００２２】
４つの底フラップ１４は、互いに組み合わせることで底面を形成する。なお、４つの底フラップ１４を組み合わせる前の状態なら、切花梱包箱２０を扁平に折り畳むことができる。扁平に折り畳まれた切花梱包箱２０は、保管および輸送に好都合である。
【００２３】
上述の作業により、切花保持台１は切花梱包箱２０の底面から垂直、かつ、前側壁１１に平行な状態で固定される。このとき、切花保持台１は、断面が四角形の筒状体を断面の対角線方向に扁平に折り畳まれた形状である。図２では、切花保持台１を、扁平に折り畳まれた状態から平行四辺形に少し開いた状態を示す。
【００２４】
第１糊付け部７および第２糊付け部８と第３糊付け部１５との接着を行う前に、切花保持板３の穴１６に袋等を設置してもよい。切花梱包箱２０を箱の形状に組み立てる前に袋を設置することで、切花を収納する際の作業性がより向上する。
【００２５】
図３は本考案の一実施形態による切花梱包箱２０の組み立て後の断面図である。第１糊付け部７および第２糊付け部８と第３糊付け部１５との接着後の組み立て方法は以下のとおりである。
【００２６】
中底板４が底面と平行になるように、切花保持台１を、扁平に折り畳まれた状態から、切花梱包箱２０の内側（内部）に向かって倒し込む。このとき、内底板４と第２壁板６との間および切花保持板３と第１壁板５との間に罫線が設けられているために、切花保持板３と内底板４との間の空間が広がっていく。内底板４と底フラップ１４により形成される底面とが接するまで倒し込んだところで、切花保持台１は断面が四角形の筒状体になり、組み立ては完了する。第１壁板５および第２壁板６は、切花保持板３を支える形状となっている。なお、切花保持板３の端部に設けられた突起が背壁１３に設けられた穴に嵌り、切花保持台１が固定される。
【００２７】
組み立て後の切花梱包箱２０は、縦長の箱体２の内部かつ下部に、切花保持台１（断面が四角形の筒状体）が、切花保持板３の面を上にして配置されている構造である。なお、筒状体の四角形は、長方形でも、台形でも、正方形でもよい。例えば、第１壁板５と第２壁板６の高さは同じでも異なっていてもよく、切花保持板３は組み立て後に水平でなくてもよい。
【００２８】
このように、切花梱包箱２０では、切花を保持するための切花保持台１は、箱体２を箱形状に組み立てる前に、第１壁板５、切花保持板３、第２壁板６、および内底板４が一周する形状に組み立て可能（接着可能）である。箱体２を箱形状に組み立てた後、扁平に折り畳まれた切花保持台１を箱体２の内部に倒し込むことで、容易に、切花保持台１の、立体的な組み立ておよび所定の位置への配置が完了する。それゆえ、作業者は、箱形状に組み立てられた箱体２の内部の狭い空間で切花保持板の箱体への複雑な配置作業を行う必要が無い。なお、開閉可能な前扉１０を開いた状態で、前側壁１１の上側に突出した切花保持台１を倒すことができるため、容易に作業を行うことができる。
【００２９】
切花保持板３の所定の穴１６には袋等を設置することができるが、袋の代わりに保持容器を配置してもよい。袋または保持容器には、切花の品質を維持するため、水が溜められる。
【００３０】
組み立て後の梱包箱において、４つの底フラップ１４を組み合わせて形成される底面の上に内底板４が重なっている。切花保持板３にポリエチレンの袋が設置されている場合、ポリエチレンの袋の底は、切花保持台１の底面である内底板４に接する。内底板４は、４つの底フラップ１４を組み合わせて形成される底面と異なり、平坦部を有する。そのため、内底板４は、ポリエチレン等の袋を傷付け得る底フラップ１４のエッジ（段）から、袋を保護することができる。ここで平坦部とは、具体的には袋を傷つける突起または段を有していない平面部分のことである。
【００３１】
（変形例１）
箱体２の折り目を、切花保持台１における折り目と逆方向に折り曲げる場合について以下に説明する。底フラップ１４を伴う前側壁１１が存在する場合、箱体２と切花保持台１とで折り曲げる方向が逆方向であってもよい。
【００３２】
第１糊付け部７および第２糊付け部８を、切花保持台１に連続して繋がる側壁１２の下部に接着する。箱体２における各折り目を、切花保持台１における折り目と逆方向に折り曲げる。上述の作業により、扁平に折り畳まれた切花保持台１は底フラップ１４による底面から垂直、かつ、前扉１０に平行な状態で固定される。第１壁板５は、箱体２の側壁１２の内側面に接着（固定）される。
【００３３】
この場合、前側壁１１の端部に耳等を設け、側壁１２の端部に対応するスリットを設けることで、前側壁１１の耳をスリットに差し込む等して固定することができる。これ以降の組み立て方法は、前述の方法と同様である。この場合も、一方の側壁１２に隣接する扁平に折り畳まれた切花保持台１を、対向する他方の側壁１２の方へ倒し込むことにより、切花保持台１の組み立てを行うことができる。
（変形例２）
前側壁１１を設けない場合について以下に説明する。この場合、第１壁板５には切り欠きはなく、第１壁板５の下側に底フラップ１４が設けられる。第１糊付け部７は、第１壁板５に接着される。第１壁板５または反対側の側壁１２の横に、両者を接着するための耳が設けられる。第１壁板５および反対側の側壁１２は、耳で接着されることにより互いに固定される。この場合、第１壁板５および前扉１０が、外側に露出する箱体２の４つの側壁の１つを構成することになる。
【００３４】
本考案は上述した各実施形態に限定されるものではなく、実用新案登録請求の範囲で示した範囲内で種々の変更が可能であり、異なる実施形態にそれぞれ開示された技術的手段を適宜組み合わせて得られる実施形態についても本考案の技術的範囲に含まれる。
【産業上の利用可能性】
【００３５】
本考案は、生花などの搬送容器として利用することができる。
【符号の説明】
【００３６】
１  切花保持台
２  箱体
３  切花保持板
４  内底板
５  第１壁板
６  第２壁板
７  第１糊付け部
８  第２糊付け部
９  頂板
１０  前扉
１１  前側壁（側壁）
１２  側壁
１３  背壁（側壁）
１４  底フラップ
１５  第３糊付け部
２０  切花梱包箱
【図１】
0003212619.tif 000003
【図２】
0003212619.tif 000004
【図３】
0003212619.tif 000005